(57)【要約】【課題】ランナーに取り付けた吊下げ部材に吊戸の上端部を取り付け易い吊戸のランナー取付構造を提供する。【解決手段】吊戸１の上側に配設された走行レール２にランナー３を走行自在に設けた。前記ランナー３より下方に向けて吊戸１に固定される吊下げ部材４を突設した。前記吊下げ部材４に引掛け片４５を突設して該引掛け片４５に吊戸１の上端部近傍に設けた被引掛け部１６を引掛けて吊戸１を支持し、吊下げ部材４に設けた挿通孔４６ａにねじからなる固着具５を挿通して吊戸１の上端部近傍に形成したねじ孔１７に螺着した。【選択図】        図１
2004232412.tif 000002
【特許請求の範囲】
【請求項１】
吊戸の上側に配設された走行レールにランナーを走行自在に設け、前記ランナーより下方に向けて吊戸に固定される吊下げ部材を突設し、前記吊下げ部材に引掛け片を突設して該引掛け片に吊戸の上端部近傍に設けた被引掛け部を引掛けて吊戸を支持し、吊下げ部材に設けた挿通孔にねじからなる固着具を挿通して吊戸の上端部近傍に形成したねじ孔に螺着して成ることを特徴とする吊戸のランナー取付構造。
【請求項２】
吊下げ部材の引掛け片および吊戸の被引掛け部をそれぞれ複数個設けて成ることを特徴とする請求項１記載の吊戸のランナー取付構造。
【請求項３】
吊下げ部材の引掛け片を設けた側と反対側に指引っ掛け部を設けて成ることを特徴とする請求項１又は２記載の吊戸のランナー取付構造。
【発明の詳細な説明】
【０００１】
【発明の属する技術分野】
本発明は、走行レールに走行自在に配設されたランナーに吊下げられる吊戸のランナー取付構造に関するものである。
【０００２】
【従来の技術】
従来より、天井等の部屋の上部に走行レールを配設してこの走行レールにランナーを走行自在に設け、ランナーより下方に向けて突設した吊下げ部材を引戸や折戸等の吊戸に固定して、吊戸をランナーに吊下げたものが利用されている（例えば特許文献１参照）。
【０００３】
吊戸をランナーに取り付けるには、まず、走行レールを部屋の上部に配設すると共にこの走行レールにランナーを走行自在に設け、次に、吊戸の上端部に設けた吊下げ部材への取付部を吊下げ部材に取り付けて吊戸をランナーに吊下げるものである。
【０００４】
しかしながら、上記従来の吊戸のランナーへの取り付けの際には、吊戸を吊下げ部材に取り付ける際、一人又は複数の作業者が吊戸を支持してその上端部を吊下げ部材にあてがった状態で別の者がねじ等の固着具にて吊下げ部材を吊戸の上端部に固着して固定するため、作業者の人数が多く力を要すると共に、作業者が支持して位置決めするため位置決めが難しく作業性が悪いものであった。そこで、吊戸を吊下げ部材に仮支持したりする方法が採られているが、この場合、吊下げ部材に仮支持された吊戸が動くと仮支持が外れて吊戸が落下したりするものであった。
【０００５】
【特許文献１】
特開平８−２７０３０７号公報
【０００６】
【発明が解決しようとする課題】
本発明はこのような点に鑑みてなされたものであり、その目的とするところは、ランナーに取り付けた吊下げ部材に吊戸の上端部を取り付け易い吊戸のランナー取付構造を提供することを課題とするものである。
【０００７】
【課題を解決するための手段】
上記課題を解決するために本発明に係る吊戸のランナー取付構造は、吊戸１の上側に配設された走行レール２にランナー３を走行自在に設け、前記ランナー３より下方に向けて吊戸１に固定される吊下げ部材４を突設し、前記吊下げ部材４に引掛け片４５を突設して該引掛け片４５に吊戸１の上端部近傍に設けた被引掛け部１６を引掛けて吊戸１を支持し、吊下げ部材４に設けた挿通孔４６ａにねじからなる固着具５を挿通して吊戸１の上端部近傍に形成したねじ孔１７に螺着して成ることを特徴とするものである。このような構成とすることで、吊戸１を持ち上げたまま吊下げ部材４への固定を行う必要がなく、引掛け支持した状態で固定作業が行われるため位置決め精度が良くて作業性が向上し、また、引掛け片４５を形成したことで、吊戸１が抜け落ちるのを防止することができる。
【０００８】
また、吊下げ部材４の引掛け片４５および吊戸１の被引掛け部１６をそれぞれ複数個設けることが好ましい。このような構成とすることで、より確実に引掛け支持することができる。
【０００９】
また、吊下げ部材４の引掛け片４５を設けた側と反対側に指引っ掛け部７を設けることが好ましい。このような構成とすることで、指で吊下げ部材４を容易に摘まむことができる。
【００１０】
【発明の実施の形態】
以下、本発明を添付図面示す実施形態に基づいて説明する。本発明における吊戸は、図１，図６に示すように、走行レール２にランナー３を走行自在に設け、ランナー３より下方に向けて吊下げ部材４を突設し、吊下げ部材４に吊戸１を固定するものである。
【００１１】
走行レール２は、通常は部屋の仕切り壁の出入口開口の上端部に配設されるものであるが、天井面等であってもよく特に設置場所は限定されない。この走行レール２は、図２に示すように、断面略矩形状をして下横片２１の幅方向中央部に開口溝２０を有するもので、上横片２２が仕切り壁の出入口開口の上端部等に固定されて取り付けられる。この走行レール２の内部にはランナー３が走行自在に配設される。
【００１２】
ランナー３は、ランナー本体３１にローラ３２を回転自在に配設したもので、走行レール２内を移動自在としたものである。ランナー本体３１は、図１，図２に示すように、断面略矩形状をして走行レール２内に収納されるもので、その両側、即ち走行レール２の幅方向の両側にローラ３２が設けられる。このローラ３２は、本実施形態では走行レール２の幅方向の両側に長手方向に二個ずつ計四個設けてある。このローラ３２は、上記走行レール２の下横片２１の開口溝２０の両側の上面を転動するもので、この下横片２１の開口溝２０の両側の上面にはそれぞれ上面が凹形となる走行部２３が形成してある。このランナー本体３１からは、下方に向けて吊下げ部材４が固定される。
【００１３】
吊下げ部材４は、ランナー本体３１の下端部から上記走行レール２の開口溝２０を介して下方に突出するように設けられる。この吊下げ部材４は、ランナー本体３１に接続される吊下げ軸部４１と、吊下げ軸部４１の下端部に取り付けられる吊下げ部材本体４２とで主体が構成される。
【００１４】
吊下げ軸部４１は、ランナー本体３１の下端部より下方に向けて上記走行レール２の開口溝２０を介して突出する。そして、吊下げ軸部４１は下端部から吊下げ部材本体４２に突没自在に没入されるとともに、下端部は後述する高さ調節機構６に組み込まれて吊下げ部材本体４２に対して抜け止めが行われる。
【００１５】
吊下げ部材本体４２は、図３に示すように側面視略Ｌ字状をして内部に吊下げ軸部４１の後述する高さ調節機構６を有するケーシングとなっている。この側面視略Ｌ字の上方に突出する部分は内部に吊下げ軸部４１が挿通される軸挿通部４４となっており、この軸挿通部４４が形成された側の外面を吊戸１への取り付け面４３としてあると共に、その反対側に指引掛け部７を形成してある。
【００１６】
取り付け面４３は、吊下げ部材本体４２の一側の垂直面で、吊戸１の上端部（後述する縦框１１）に当接して固定される。この吊下げ部材本体４２の取り付け面４３からは、引掛け片４５を側方に向けて突設するとともに、吊戸１の上端部（縦框１１）には、前記引掛け片４５が引掛けられる被引掛け部１６が形成される。引掛け片４５の間には後述する固着具１９の頭部を逃がす逃げ凹所４９が設けてある。
【００１７】
また、取り付け面４３が形成される側の吊下げ部材本体４２の端部からは下方に取り付け面４３から固定片４６が下方に延設してあり、この固定片４６に後述する固着具５が挿通される挿通孔４６ａが穿設してある。
【００１８】
吊戸１は、本実施形態では正面視略矩形状をしたもので、その上下左右の四周辺をそれぞれ框で枠組みしてその内部に吊戸本体１０を取り付けて形成してある（図６参照）。框と吊戸本体１０との固定は、框に設けた固着具挿通孔を介して固着具を吊戸本体１０に固着して固定するもので、框の両端部近傍および両端部間に複数個の固着具にて固定する。
【００１９】
吊戸１の左右の縦框１１は、図１等に示すように、内部を上記吊下げ部材本体４２が上下に移動自在となる空洞部１３が形成され、その空洞部１３の吊戸本体１０側の端部に縦片部１４が形成されるとともに、該縦片部１４から空所を介して吊戸本体１０側の端部に吊戸本体１０への取り付け部１５が形成してある。
【００２０】
この吊戸１の縦框１１の縦片部１４に、吊下げ部材４の吊下げ部材本体４２の取り付け面４３が当接して吊下げ部材４が吊戸１に固定される。
【００２１】
縦框１１の縦片部１４には、吊下げ部材４の取り付け面４３の引掛け片４５に対応する部分に該引掛け片４５に引掛けられる被引掛け部１６が設けてある。本実施形態では、被引掛け部１６は引掛け片４５が挿入係止される孔として形成されるもので、この孔（即ち被引掛け部１６）の上下長さは引掛け片４５の上下長さよりも長く形成してある。このような引掛け片４５及び被引掛け部１６は本実施形態では上下に二個設けてある。
【００２２】
吊戸１の被引掛け部１６に吊下げ部材４の引掛け片４５を挿入して該引掛け片４５に被引掛け部１６を載置した状態で、吊下げ部材４の取付片４６の挿通孔４６ａに連通するように縦框１１にねじ孔１７が穿設してあり、挿通孔４６ａとねじ孔１７とが連通した状態でねじからなる固着具５を挿通孔４６ａから挿通してねじ孔１７に螺着して固定する。
【００２３】
また、縦框１１の上端部近傍には、図４等に示すように、縦框１１の上下に二個設けた引掛け片４５の間に挿通孔１８を形成し、吊戸本体１０に固定するねじからなる固着具１９をこの挿通孔１８に挿通して吊戸本体１０に固定する。このようにすることで、吊戸１を吊下げ部材４に引掛けた際に上下に二個設けた引掛け片４５に力が加わるのであるが、縦框１１の吊戸本体１０への固定部の上下両側に力が加わることとなって力のバランスがよく縦框１１が吊戸本体１０から片側から剥がれたりするのを防止できる。
【００２４】
このような吊戸１の取り付けについて説明する。
【００２５】
まず、走行レール２を吊戸１を設ける部分に配設し、この走行レール２に走行自在にランナー３を挿入する。なお、ランナー３は、走行レール２を配設する際に予め走行レール２に挿入しておくか、あるいは走行レール２を配設した後に挿入するかして、吊戸１を取り付ける前に走行レール２に挿入しておくものである。
【００２６】
吊下げ部材４のランナー３への取り付けは、吊下げ軸部４１の上端部近傍をランナー本体３１に挿入してその上端部をかしめたりして固定するものである。ランナー３は、吊戸１の両側端部に一個ずつ取り付けるよう一個の吊戸あたり計二個設けておく。
【００２７】
次に、吊下げ部材４に吊戸１を取り付けるのであるが、吊戸１を持ち上げてその左右両側の縦框１１の被引掛け部１６をそれぞれ吊下げ部材４の引掛け片４５に引掛け、これによって吊戸１を吊下げ部材４に吊下げ支持させる。そして、吊下げ部材４の取付片４６の挿通孔４６ａにねじからなる固着具５を挿通して吊戸１の縦框１１のねじ孔に螺着して固定する。
【００２８】
このように、吊下げ部材４に引掛け片４５を設け、この引掛け片４５に吊戸１に設けた被引掛け部１６を引掛け支持するようにしたことで、吊戸１を持ち上げたまま固着具５による固定を行う必要がなく、また、前記引掛け支持した状態で挿通孔４６ａのねじ孔１７への位置決め（すなわち連通）が行われるため位置決め精度が良く、作業性が良いものである。また、引掛け片４５を側面視略Ｌ字状に形成したことで、被引掛け部１６として設けた縦框１１の孔が引掛けられた状態から抜け落ちるのを防止することができる。また、吊下げ部材４に指引掛け部７を突設して形成してあることで、指で吊下げ部材４を摘まんでランナー３が動かないようにした状態で吊戸１を吊下げ部材４へ引掛けることができて引掛け作業が容易となる。
【００２９】
また、本実施形態では吊下げ部材４に高さ調節機構６が設けてあり、ランナー３からの吊戸１の吊下げ高さの調節が可能となっている。
【００３０】
吊下げ部材本体４２には、内部の空所を軸部４８がランナー３の走行方向と直交する方向に固定してあり、この軸部４８を中心として調節片６１が回転自在に設けてある。
【００３１】
調節片６１は、図６に示すように略Ｌ字状をしたもので、その角部に中心穴６３が穿設してあって上記軸部４８に被嵌される。これにより、吊下げ部材本体４２内において軸部４８を中心にして回転自在に配設される。この調節片６１の中心穴６３の両側には、載置部６５と孔部６４とがそれぞれ形成される。
【００３２】
載置部６５は、調節片６１のＬ字の先端内側部に形成され、吊下げ軸部４１の下端部に形成されたフランジ部４１ａの上面に載置される。
【００３３】
孔部６４は、押しボルト６２にて押されて調節片６１を回動（揺動）させるものである。孔部６４は、同形の扇形二個をそれぞれの中心を共通として弧部が対向するように配置した形状をしており、中心の幅狭の部分の両側壁が押しボルト６２の押し片６２ｂに押圧される当り部となっている。
【００３４】
押しボルト６２は、吊下げ部材４の調節片６１を設けた部分の下側に配設されるもので、吊下げ部材本体４２の吊戸１への取り付け面４３と反対側の面に設けた孔部４７より押しボルト６２の頭部６２ａが露出し、押しボルト６２の頭部６２ａをドライバー等の工具で回転することで押しボルト６２を進退させて押しボルト６２の軸部に設けた押し片６２ｂを進退させる。このとき、孔部６４を上述したような形状に形成することで、押しボルト６２の押し片６２ｂが調節片６１に干渉することなく調節片６１を回動（揺動）させることができる。
【００３５】
このような高さ調節機構６は、ドライバー等の工具で押しボルト６２の頭部６２ａを回転させて調節片６１を回動させ、図５（ａ）に示すように調節片６１の載置部６５が下降すると、吊下げ軸部４１に対する吊下げ部材本体４２が上昇するため、吊戸１がランナー３に対して上昇し、図５（ｂ）に示すように調節片６１の載置部６５を図５（ａ）の状態よりも上昇させると、吊下げ軸部４１に対する吊下げ部材本体４２が下降するため吊戸１がランナー３に対して下降し、図５（ｃ）に示すように調節片６１の載置部６５を図５（ｂ）の状態よりも更に上昇させると、吊下げ軸部４１に対する吊下げ部材本体４２が更に下降するため吊戸１がランナー３に対して下降する。このようにして、容易に吊戸１をランナー３に対して上下動することが可能となる。
【００３６】
【発明の効果】
上記のように本発明の請求項１記載の発明にあっては、吊戸の上側に配設された走行レールにランナーを走行自在に設け、前記ランナーより下方に向けて吊戸に固定される吊下げ部材を突設し、前記吊下げ部材に引掛け片を突設して該引掛け片に吊戸の上端部近傍に設けた被引掛け部を引掛けて吊戸を支持し、吊下げ部材に設けた挿通孔にねじからなる固着具を挿通して吊戸の上端部近傍に形成したねじ孔に螺着したので、吊戸を持ち上げたまま吊下げ部材への固定を行う必要がないとともに、引掛け支持した状態で固定作業ができて位置決め精度が良くて作業性が向上し、また、引掛け片によって吊戸が抜け落ちるのを防止することができる。
【００３７】
また請求項２記載の発明にあっては、請求項１記載の発明の効果に加えて、吊下げ部材の引掛け片および吊戸の被引掛け部をそれぞれ複数個設けたので、より確実に引掛け支持することができる。
【００３８】
また請求項３記載の発明にあっては、請求項１又は２記載の発明の効果に加えて、吊下げ部材の引掛け片を設けた側と反対側に指引っ掛け部を設けたので、指で吊下げ部材を容易に摘まむことができる。
【図面の簡単な説明】
【図１】本発明の一実施形態を示し、（ａ）は要部側断面図であり、（ｂ）はランナーの走行レールに挿入されていない状態の平面図であり、（ｃ）は要部側平断面図である。
【図２】同上の実施形態の縦框にパッキンを取り付けていない状態の平面図である。
【図３】同上の実施形態のランナー及び吊下げ部材の側面図である。
【図４】（ａ）（ｂ）（ｃ）は吊下げ部材への吊戸の取り付けを説明する説明図であり、（ｄ）は縦框の要部側面図である。
【図５】（ａ）（ｂ）（ｃ）は吊下げ部材の吊下げ軸部の突出高さの調節を説明する説明図である。
【図６】同上の実施形態の一部切欠した全体斜視図である。
【符号の説明】
１  吊戸
１６  被引掛け部
１７  ねじ孔
２  走行レール
３  ランナー
４  吊下げ部材
４５  引掛け片
４６ａ  挿通孔
５  固着具
【図１】
2004232412.tif 000003
【図２】
2004232412.tif 000004
【図３】
2004232412.tif 000005
【図４】
2004232412.tif 000006
【図５】
2004232412.tif 000007
【図６】
2004232412.tif 000008